(57)【特許請求の範囲】
【請求項１】
人体の頭部を覆うクラウン本体と、
前記クラウン本体の頭部左側の肌側に配置されている左側弾性部材と、
前記クラウン本体の頭部右側の肌側に配置されている右側弾性部材と、を有し、
前記左側弾性部材と前記右側弾性部材との間には第１の間隙が存在しており、
前記第１の間隙と前記クラウン本体の外側とは、前記クラウン本体に形成されている直径５ｍｍ以上の第１の穴を介して互いに連通しており、該第１の穴の内部は空洞であることを特徴とする帽子。
【請求項２】
前記第１の穴の形状は、円形、長円形、楕円形のいずれかである請求項１に記載の帽子。
【請求項３】
前記クラウン本体の周方向における前記第１の間隙の長さは、前記クラウン本体の周方向における前記左側弾性部材または前記右側弾性部材の長さよりも短い請求項１または２に記載の帽子。
【請求項４】
さらにつば部を有し、
前記つば部と、前記第１の間隙は、前記クラウン本体の前側に形成されている請求項１〜３のいずれか一項に記載の帽子。
【請求項５】
前記クラウン本体を左右方向に３等分したときの中央領域の肌側面に、スペーサ部材が配置されている請求項１〜４のいずれか一項に記載の帽子。
【請求項６】
前記スペーサ部材は複数配置されており、
一のスペーサ部材と他のスペーサ部材との間には第２の間隙が設けられ、
前記第２の間隙と前記クラウン本体の外側とは、前記クラウン本体に形成されている直径２ｍｍ以上の第２の穴を介して互いに連通している請求項５に記載の帽子。
【請求項７】
前記クラウン本体の前側であり、前記クラウン本体を左右方向に３等分したときの中央領域において、前記第１の間隙が存在している請求項１〜６のいずれか一項に記載の帽子。
【請求項８】
ランニング用である、請求項１〜７のいずれか一項に記載の帽子。
【発明の詳細な説明】
【技術分野】
【０００１】
本発明は、通気性を有する帽子に関する。
【背景技術】
【０００２】
屋外で歩行やランニング、マラソン、競歩、その他スポーツをする際などには、日射病や熱中症などを予防するため、帽子が着用されることがある。このときに着用される帽子の通気性が悪い場合は、帽子の内部が蒸れてしまい、帽子内の温度や湿度が上昇することで、使用者は熱中症を発症する可能性が高くなるうえ、不快に感じることがある。
【０００３】
従来、頭部への直射日光を遮り、且つ、通気性も保持させるため、頭周り部の前部下端に庇部を設けると共に前記頭周り部の上端に冠部を接続することによって構成される野球帽タイプの帽子であって、前記頭周り部の前部は下端に向かうに従って帽子の外側方向に拡がる傾斜面で形成され、前記頭周り部の前部下端が前記庇部の一端両側部に接続されるが前記庇部の一端中央部には接続されないことにより前記庇部と頭周り部との間に空隙を設け、前記庇部の一端中央部が前記頭周り部の前部下端よりも帽子の内側に位置し、前記頭周り部の少なくとも前部と前記庇部とを別パーツとして合成樹脂により成型したことを特徴とする帽子が開発されている（特許文献１）。
【先行技術文献】
【特許文献】
【０００４】
【特許文献１】特開２０１５−１１７４４３号公報
【発明の概要】
【発明が解決しようとする課題】
【０００５】
しかし、特許文献１に記載されている帽子においては、通気性の機能面において、未だ改善の余地があった。
【０００６】
本発明は前記事情に鑑みてなされたものであり、その目的は、空気の取り込みが行われやすい、通気性のよい帽子を提供することにある。
【課題を解決するための手段】
【０００７】
上記課題を解決できた本発明の帽子とは、人体の頭部を覆うクラウン本体と、クラウン本体の頭部左側の肌側に配置されている左側弾性部材と、クラウン本体の頭部右側の肌側に配置されている右側弾性部材と、を有し、左側弾性部材と右側弾性部材との間には第１の間隙が存在しており、第１の間隙とクラウン本体の外側とは、クラウン本体に形成されている直径５ｍｍ以上の第１の穴を介して互いに連通していることを特徴とする帽子である。
【０００８】
左側弾性部材と右側弾性部材との間に第１の間隙が存在することで、本発明の帽子を使用者が着用した際には、クラウン本体と左側弾性部材と右側弾性部材と使用者の頭部との間に弾性部材が有する厚み分の空間が形成される。これにより、当該空間部分からクラウン本体内に空気が入りやすくなる。また、第１の間隙とクラウン本体の外側とが、クラウン本体に形成されている直径５ｍｍ以上の第１の穴を介して互いに連通していることで、当該穴からもクラウン本体内に空気が入りやすくなる。
【０００９】
クラウン本体の周方向における第１の間隙の長さは、クラウン本体の周方向における左側弾性部材または右側弾性部材の長さよりも短いことが好ましい。
【００１０】
上記帽子は、さらにつば部を有し、つば部と、第１の間隙は、クラウン本体の前側に形成されていることが好ましい。
【００１１】
クラウン本体を左右方向に３等分したときの中央領域の肌側面に、スペーサ部材が配置されていることが好ましい。
【００１２】
スペーサ部材は複数配置されており、一のスペーサ部材と他のスペーサ部材との間には第２の間隙が設けられ、第２の間隙とクラウン本体の外側とは、クラウン本体に形成されている直径２ｍｍ以上の第２の穴を介して互いに連通していることが好ましい。
【００１３】
クラウン本体の前側であり、クラウン本体を左右方向に３等分したときの中央領域において、第１の間隙が存在していることが好ましい。
【００１４】
本発明の実施の形態に係る帽子は、ランニング用として好適に用いることができる。
【発明の効果】
【００１５】
本発明の帽子は、左側弾性部材と右側弾性部材との間に第１の間隙が存在することで、本発明の帽子を使用者が着用した際には、クラウン本体と左側弾性部材と右側弾性部材と使用者の頭部との間に弾性部材が有する厚み分の空間が形成される。これにより、当該空間部分からクラウン本体内に空気が入りやすくなる。また、第１の間隙とクラウン本体の外側とが、クラウン本体に形成されている直径５ｍｍ以上の第１の穴を介して互いに連通していることで、当該穴からもクラウン本体内に空気が入りやすくなる。これらの構成により、帽子内の通気性を高めることができる。
【図面の簡単な説明】
【００１６】
【図１】本発明の実施の形態に係る帽子の側面図である。
【図２】本発明の実施の形態に係る帽子の底面図である。
【図３】本発明の実施の形態に係る帽子の底面図である。
【図４】本発明の実施の形態に係る帽子のクラウン本体に配置される弾性部材の一実施形態を示す図であり、図３のＰ部分の正面図である。
【図５】図４のＶ−Ｖ線における断面図である。
【図６】使用者が本発明の実施の形態に係る帽子を着用した状態を示す断面図である。
【図７】使用者が本発明の実施の形態に係る帽子を着用した状態を示す断面図である。
【図８】本発明の実施の形態に係る帽子に配置されるスペーサ部材の底面図である。
【図９】図８のＩＸ−ＩＸ線における断面図である。
【発明を実施するための形態】
【００１７】
以下、本発明の実施の形態に係る帽子に関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００１８】
本発明において、帽子は使用者が頭にかぶるものである。図面において、使用者の左右方向をｘ方向で示し、使用者の前後方向をｙ方向で示し、使用者の身長方向をｚ方向で示す。
【００１９】
図１は、本発明の実施の形態に係る帽子の側面図である。図２及び図３は、本発明の実施の形態に係る帽子の底面図である。図２及び図３については、図面に向かって手前が使用者の頭部側、図面に向かって奥が使用者の頭部とは反対側（以下では「外側」と記載することがある）である。
【００２０】
上記課題を解決できた本発明の帽子とは、人体の頭部を覆うクラウン本体１０と、クラウン本体１０の頭部左側の肌側に配置されている左側弾性部材１１ａと、クラウン本体１０の頭部右側の肌側に配置されている右側弾性部材１１ｂと、を有し、左側弾性部材１１ａと右側弾性部材１１ｂとの間には第１の間隙１２が存在しており、第１の間隙１２とクラウン本体１０の外側とは、クラウン本体１０に形成されている直径５ｍｍ以上の第１の穴１３を介して互いに連通していることを特徴とする帽子１である。左側弾性部材１１ａと右側弾性部材１１ｂとの間に第１の間隙１２が存在することで、本発明の帽子１を使用者が着用した際には、クラウン本体１０と左側弾性部材１１ａと右側弾性部材１１ｂと使用者の頭部との間に弾性部材１１が有する厚み分の空間が形成される。これにより、当該部分からクラウン本体１０内に空気が入りやすくなる。また、第１の間隙１２とクラウン本体１０の外側とが、クラウン本体１０に形成されている直径５ｍｍ以上の第１の穴１３を介して互いに連通していることで、当該穴からもクラウン本体１０内に空気が入りやすくなる。
【００２１】
クラウン本体１０は、本発明の実施の形態に係る帽子１のうち、使用者の頭部を覆う部分である。本明細書内では、クラウン本体１０のうちの使用者側を肌側、使用者とは反対側を外側と記載する。
【００２２】
クラウン本体１０を構成する生地は、不織布、編布、織布などから適宜選択すればよいが、本発明の実施の形態に係る帽子１は、歩行やランニング、マラソン、競歩、その他スポーツなどを行う際にかぶることが想定されていることから、通気性を高めるとともに、人頭へのフィット性を高めるために、編布で構成された部分を含むことが好ましい。
【００２３】
クラウン本体１０を構成する生地の素材については特に限定されず、例えばポリエステル、ポリエチレン、ナイロン、ポリウレタン、綿、絹、麻等から適宜選択して用いればよい。クラウン本体１０は、一種類の素材で構成されていてもよいし、複数の素材から構成されていてもよいが、熱中症防止や人頭への遮熱効果を高めるために、クラウン本体１０を構成する生地は赤外線反射素材から構成されていることが好ましい。さらに、日焼け防止の観点から、クラウン部本体１０を構成する生地はＵＶカット機能も有していることが好ましい。
【００２４】
本発明の実施の形態に係る帽子１のクラウン本体１０を構成する生地については、例えば、芯部に赤外線反射セラミックを配合したポリエステルフィラメント等を含むものとすることで、赤外線を反射する機能を持たせることができる。
【００２５】
本発明の実施の形態に係る帽子１のクラウン本体１０を構成する生地については、例えば、チタンやセラミック、カーボン等の微粒子をポリエステルなどの化学繊維自体の中に練り込む方法や、生地に紫外線吸収剤や紫外線錯乱剤を塗る方法によって、ＵＶカット機能を持たせることができる。しかしながら、生地に紫外線吸収剤や紫外線錯乱剤を塗る方法は、洗濯によってＵＶカット機能が低下しやすい。本発明の実施の形態に係る帽子１は、歩行やランニング、マラソン、競歩、その他スポーツを行う際に使用されることが想定されているため、着用中にかいた汗を多量に吸収していることが予想される。これに伴い、本発明の実施の形態に係る帽子１は、繰り返し洗濯が実施されつつ使用されることが想定される。このため、本発明の実施の形態に係る帽子１のクラウン本体１０を構成する生地は、チタンやセラミック、カーボン等の微粒子を化学繊維自体の中に練り込む方法によってＵＶカット機能を持たせることが好ましい。
【００２６】
クラウン本体１０を構成する生地における、波長２８０ｎｍから４００ｎｍの紫外線をどれだけ遮蔽しているかを表す紫外線遮蔽率は、６０％以上であることが好ましく、８０％以上であることがより好ましく、９０％以上であることがさらに好ましい。また、クラウン本体１０を構成する生地における、肌に何も着けていない地肌の状態でできた日焼けと同じ程度まで日焼けするまでに何倍の時間がかかるかを示すＵＰＦ値は、１５以上であることが好ましく、２５以上であることがより好ましく、３０以上であることがさらに好ましい。
【００２７】
図２に示すように、弾性部材１１は、クラウン本体１０の肌側に配置される。左側弾性部材１１ａの少なくとも一部は、クラウン本体１０の頭部左側の肌側に配置される。右側弾性部材１１ｂの少なくとも一部は、クラウン本体１０の頭部右側の肌側に配置される。図２の直線Ａは、クラウン本体１０が有する左右方向（ｘ方向）の最大の幅を２等分する直線である。使用者から見て直線Ａよりも左側が頭部左側であり、使用者から見て直線Ａよりも右側が頭部右側である。図２では左側弾性部材１１ａと右側弾性部材１１ｂが１つずつ設けられている実施の形態が示されているが、左側弾性部材１１ａと右側弾性部材１１ｂの数はこれに限られることはなく、左側弾性部材１１ａと右側弾性部材１１ｂは複数個設けられていてもよい。
【００２８】
弾性部材１１は、嵩高く、軽く、安価なものであることが好ましい。また、弾性部材１１は、吸水性を有していることが好ましい。弾性部材１１の部分を水に濡らし、本発明の実施の形態に係る帽子１を着用することで、弾性部材１１に含まれている水分が徐々に気化する際に使用者の頭部の熱を奪う。これによって、使用者の頭部の冷却を行うことができる。
【００２９】
図４は、本発明の実施の形態に係る帽子のクラウン本体に配置される弾性部材の一実施形態を示す正面図で、図３のＰ部分を示している。図４では、図面に向かって手前が使用者の頭部側、図面に向かって奥が外側である。図５は、図４のＶ−Ｖ線における断面図である。
【００３０】
弾性部材１１は、着用時のフィット感を高めるため、柔らかい素材を含んでいることが好ましく、弾性部材１１はＪＩＳ  Ｌ  １０９６  Ａ法によって測定される伸長回復率がクラウン本体１０よりも高いものであることがより好ましい。弾性部材１１の素材としては、例えば、ポリエチレン、エチレン酢酸ビニル、ポリビニルアルコール、ポリウレタン等を含んでいることが好ましい。中でも、軽く、乾きやすく、伸長回復率が高く、クッション性が高いという性質をもつため、ポリウレタンを含んでいることがより好ましく、弾性部材１１全体がポリウレタンで構成されていることがさらに好ましい。弾性部材１１はクラウン本体１０上に直接配置されていてもよいが、弾性部材１１とクラウン本体１０との間にその他の布、シート等が配置されていてもよい。クラウン本体１０への弾性部材１１の配置は、縫い付け、接着剤による接着などの種々の方法によって行われればよい。
【００３１】
弾性部材１１の形状は特に限定されるものではなく、例えば、弾性部材１１が有する主面の形状について、多角形、四角形、円形、長円形、楕円形、星形、その他種々の形状にすることができる。また、弾性部材１１の全体の形状は、例えば、板状、薄板状、四角柱状、多角柱状、円柱状、その他種々の形状にすることができる。
【００３２】
左側弾性部材１１ａと右側弾性部材１１ｂは、図２に示すようにそれぞれ独立した部材であってもよいが、図３及び図４に示すように左側弾性部材１１ａと右側弾性部材１１ｂが１つの弾性部材１１によって構成されていてもよい。図３及び図４の直線Ａは、クラウン本体１０が有する左右方向（ｘ方向）の最大の幅を２等分する直線を示している。図３及び図４のように、左側弾性部材１１ａと右側弾性部材１１ｂが１つの弾性部材１１によって構成されている場合は、頭部左側半分（直線Ａよりも左側）に存在する弾性部材１１の部分を左側弾性部材１１ａと呼び、頭部右側半分（直線Ａよりも右側）に存在する弾性部材１１の部分を右側弾性部材１１ｂと呼ぶものとする。
【００３３】
図２〜図５に示すように、左側弾性部材１１ａと右側弾性部材１１ｂとの間には第１の間隙１２が存在する。クラウン本体１０の周方向における第１の間隙１２の長さが長すぎると、使用者の頭部が第１の穴１３または左側弾性部材１１ａと右側弾性部材１１ｂとの間に存在するクラウン本体１０部分に近づいたり、使用者の頭部が第１の穴１３の縁または左側弾性部材１１ａと右側弾性部材１１ｂとの間に存在するクラウン本体１０部分と接触しやすくなる。そうすると、クラウン本体１０と左側弾性部材１１ａと右側弾性部材１１ｂと使用者の頭部との間の空間が小さくなったり、第１の穴１３が塞がれやすくなることで、帽子１の通気性を確保しにくくなる可能性がある。クラウン本体１０と左側弾性部材１１ａと右側弾性部材１１ｂと使用者の頭部との間に空間を形成しやすくするため、クラウン本体１０の周方向における第１の間隙１２の長さは、クラウン本体１０の周方向における左側弾性部材１１ａまたは右側弾性部材１１ｂの長さよりも短いことが好ましい。ここでいうクラウン本体１０の周方向とは、クラウン本体１０の縁が延在している方向と平行な方向をいうものとする。また、ここでいうクラウン本体１０の周方向における第１の間隙１２の長さとは、第１の間隙１２が有するクラウン本体１０の周方向における長さのうち、最も長い長さをいう（以下、「有効長さ」と記載する）。左側弾性部材１１ａまたは右側弾性部材１１ｂが有するクラウン本体１０の周方向における長さも同様に、左側弾性部材１１ａまたは右側弾性部材１１ｂが有するクラウン本体１０の周方向における長さのうち、最も長い長さをいう（以下、「有効長さ」と記載する）。
【００３４】
第１の間隙１２の有効長さは、使用者の年齢、性別、頭部の大きさなどに合わせて適宜設定すればよいが、例えば、０．５ｃｍ以上、１．５ｃｍ以上、３ｃｍ以上、１３ｃｍ以下、１１ｃｍ以下、９ｃｍ以下等にすることができる。
【００３５】
左側弾性部材１１ａまたは右側弾性部材１１ｂの有効長さは、使用者の年齢、性別、頭部の大きさなどに合わせて適宜設定すればよいが、例えば、５ｃｍ以上、５．５ｃｍ以上、６ｃｍ以上、２０ｃｍ以下、１８ｃｍ以下、１６ｃｍ以下等にすることができる。
【００３６】
弾性部材１１の厚みが薄すぎる場合は、使用者の頭部が第１の穴１３または左側弾性部材１１ａと右側弾性部材１１ｂとの間に存在するクラウン本体１０部分に接近しすぎたり、使用者の頭部が第１の穴１３の縁または左側弾性部材１１ａと右側弾性部材１１ｂとの間に存在するクラウン本体１０部分と接触しやすくなる。そうすると、クラウン本体１０と左側弾性部材１１ａと右側弾性部材１１ｂと使用者の頭部との間の空間が小さくなったり、第１の穴１３が塞がれやすくなることで、帽子１の通気性を確保しにくくなる可能性がある。クラウン本体１０と左側弾性部材１１ａと右側弾性部材１１ｂと使用者の頭部との間に空間を形成しやすくするため、弾性部材１１の厚みは、クラウン本体１０の厚みよりも厚いことが好ましい。弾性部材１１の厚みとクラウン本体１０の厚みは、それぞれの部材が有する厚みのうち最も薄い部分の厚み同士を比較するものとする。
【００３７】
弾性部材１１の厚みは、具体的には、０．５ｍｍ以上であることが好ましく、１ｍｍ以上であることがより好ましく、１．５ｍｍ以上であることがさらに好ましい。また、弾性部材１１の厚みが厚すぎる場合は、着用時にごわつきが生じたり、帽子１の見た目が悪くなる可能性があるため、弾性部材１１の厚みは、１５ｍｍ以下であることが好ましく、１２ｍｍ以下であることがより好ましく、１０ｍｍ以下であることがさらに好ましい。
【００３８】
クラウン本体１０の厚みは、具体的には、０．０１ｍｍ以上であることが好ましく、０．１ｍｍ以上であることがより好ましく、０．５ｍｍ以上であることがさらに好ましい。クラウン本体１０の厚みは、例えば、８．０ｍｍ以下であることが好ましく、５．０ｍｍ以下であることがより好ましく、３．０ｍｍ以下であることがさらに好ましい。
【００３９】
第１の穴１３は、図１〜図５で示すように、クラウン本体１０に形成されている直径５ｍｍ以上の穴であり、第１の間隙１２とクラウン本体１０の外側とが、第１の穴１３を介して連通している。第１の穴１３の形状は特に限定されず、多角形、四角形、円形、長円形、楕円形、星形等、種々の形状から適宜選択すればよい。なお、第１の穴１３が円形でない場合には、第１の穴１３の外接円と内接円の直径の平均値を第１の穴１３の直径とする。
【００４０】
第１の穴１３の直径は、例えば、５ｍｍ以上、５．１ｍｍ以上、５．２ｍｍ以上、６０ｍｍ以下、５０ｍｍ以下、４０ｍｍ以下、３０ｍｍ以下等にすることができる。仮に、第１の間隙１２とクラウン本体１０の外側とを連通させる構成が、メッシュや１ｍｍ前後の小さな穴だけであった場合は、クラウン本体１０内への空気の入りが悪く、帽子の通気性を十分に確保できなくなる。このため、クラウン本体１０内に空気が入りやすくするために、本発明の実施の形態に係る帽子１には、５ｍｍ以上の第１の穴１３が形成される。
【００４１】
第１の間隙１２とクラウン本体１０の外側とを連通させる第１の穴１３は、１つのみ形成されていてもよいし、複数個形成されていてもよい。また、第１の穴１３に加えて、第１の間隙１２とクラウン本体１０の外側とを連通させる直径が５ｍｍよりも小さい穴が形成されていてもよい。
【００４２】
第１の穴１３は、例えば、穴開けパンチ、穴開けポンチ、レーザー加工など、種々の方法によって形成すればよい。
【００４３】
図６は、使用者が本発明の実施の形態に係る帽子を着用した状態を示す断面図である。図面に向かって左側が使用者の前側であり、図面に向かって右側が使用者の後側である。
【００４４】
本発明の実施の形態に係る帽子１は、図６に示すように、さらにつば部２０を有し、つば部２０と、第１の間隙１２は、クラウン本体１０の前側に形成されていることが好ましい。
【００４５】
本発明の実施の形態に係る帽子１のつば部２０は、帽子１のうち、クラウン本体１０の縁から周囲へ差し出ている部分である。つば部２０を構成する素材や生地についてはクラウン本体１０を構成する素材や生地についての説明を参酌することができる。
【００４６】
クラウン本体１０の前側は、クラウン本体１０を前後方向（ｙ方向）に２等分したときに着用者から見た時の前半分をいう。反対に、前後方向（ｙ方向）に２等分したときに着用者から見た時の後半分は後側という。
【００４７】
上記のように、つば部２０と第１の間隙１２がクラウン本体１０の前側に形成されている本発明の実施の形態に係る帽子１を着用して歩行やランニングを行った場合、つば部２０が壁のような働きをするために、つば部２０の下側に流れ込んだ空気はクラウン本体１０の外側へは逃げにくくなり、当該空気はクラウン本体１０と左側弾性部材１１ａと右側弾性部材１１ｂと使用者の頭部との間に形成されている空間へ入りこみやすくなる。上記構成とすることで、クラウン本体１０と左側弾性部材１１ａと右側弾性部材１１ｂと使用者の頭部との間に形成されている空間への空気の流入を促進することができるため、帽子１内の通気性を高めることができる。
【００４８】
クラウン本体１０が有する左右方向（ｘ方向）の最大の幅を２等分する直線Ａを含む前後方向（ｙ方向）と平行な面上において、つば部２０とクラウン本体１０のなす角α（図１で示すα）は、９０°以上であることが好ましく、９５°以上であることがより好ましく、１００°以上であることがさらに好ましい。つば部２０とクラウン本体１０のなす角αは、１５０°以下であることが好ましく、１４５°以下であることが好ましく、１４０°以下であることがさらに好ましい。つば部２０とクラウン本体１０のなす角αを上記のような角度に設定することで、つば部２０は空気をつば部２０の下側に流入させやすくなる。つば部２０の下側に流れ込んだ空気は、つば部２０が壁のような働きをするため、クラウン本体１０の外側へは逃げにくくなり、当該空気はクラウン本体１０と左側弾性部材１１ａと右側弾性部材１１ｂと使用者の頭部との間に形成されている空間へ入りこみやすくなる。上記のようにすることで、クラウン本体１０と左側弾性部材１１ａと右側弾性部材１１ｂと使用者の頭部との間に形成されている空間への空気の流入を促進することができるため、帽子１内の通気性を高めることができる。
【００４９】
本発明の実施の形態に係る帽子１において、クラウン本体１０の前側であり、クラウン本体１０を左右方向に３等分したときの中央領域１０ｂに、第１の間隙１２の少なくとも一部が存在していることが好ましく、クラウン本体１０の前側であり、クラウン本体１０を左右方向に３等分したときの中央領域１０ｂに、第１の間隙１２全体が存在していることがより好ましい。
【００５０】
図２及び図３に示すように、クラウン本体１０が有する左右方向（ｘ方向）の最大の幅を３等分したときの真ん中の部分が中央領域１０ｂ、使用者から見て中央領域１０ｂの左側に存在するのが左側領域１０ａ、使用者から見て中央領域１０ｂの右側に存在するのが右側領域１０ｃである。
【００５１】
クラウン本体１０の前側であり、クラウン本体１０が有する左右方向（ｘ方向）の最大の幅を３等分したときの中央領域１０ｂに第１の間隙１２が存在していることによって、額に近い領域に第１の間隙１２が存在することになるため、直径５ｍｍ以上の第１の穴１３も、クラウン本体１０の前側、かつ、中央領域１０ｂに形成され、額に近い領域に第１の穴１３が形成されることになる。これにより、歩行やランニング、マラソン、競歩、その他スポーツをする際に前方から流れてくる空気が当該穴からクラウン本体１０内に入りこみやすくなる。また、使用者の額周辺とクラウン本体１０の生地とが密着している場合には、額周辺における汗の蒸発が充分でなくなることで体温調節をスムーズに行えなくなることがあるため熱中症を発症する可能性が高くなるが、上記構成とすることで、本発明の実施の形態に係る帽子１を着用した際には額周辺部分に空間が存在するため、額周辺における汗の蒸発も行われやすくなり、熱中症の発症を抑制することができる。
【００５２】
図２〜図４に示すように、クラウン本体１０が有する左右方向（ｘ方向）の最大の幅を２等分する直線Ａを含む前後方向（ｙ方向）と平行な面上において、クラウン本体１０の前側に、第１の間隙１２が存在していることがより好ましい。直線Ａを含む前後方向（ｙ方向）と平行な面上において、第１の間隙１２が存在していることによって、より額に近い部分に第１の間隙１２が存在することになるため、直径５ｍｍ以上の第１の穴１３も、クラウン本体１０の前側であって、かつ、直線Ａ付近に形成されることになる。これにより、歩行やランニング、マラソン、競歩、その他スポーツをする際に前方から流れてくる空気が当該穴からクラウン本体１０内に入りこみやすくなる。また、額とクラウン本体１０の生地とが密着している場合には、額における汗の蒸発が充分でなくなることで体温調節をスムーズに行えなくなることがあるため熱中症を発症する可能性が高くなるが、上記構成とすることで、本発明の実施の形態に係る帽子１の着用時にはクラウン本体１０と使用者の額との間に空間が存在するため、額における汗の蒸発も行われやすくなり、熱中症の発症を抑制することができる。上記と同様の理由で、クラウン本体１０が有する左右方向（ｘ方向）の最大の幅を２等分する直線Ａを含む前後方向（ｙ方向）と平行な面上において、第１の穴１３が形成されることがさらに好ましい。
【００５３】
図７は、使用者が本発明の実施の形態に係る帽子を着用した状態を示す断面図である。図７では、図面に向かって手前が使用者の前側、図面に向かって奥が使用者の後側である。
【００５４】
図２、図３、図７に示すように、クラウン本体１０を左右方向に３等分したときの中央領域１０ｂの肌側に、スペーサ部材３０の少なくとも一部が配置されていることが好ましく、クラウン本体１０を左右方向に３等分したときの中央領域１０ｂの肌側に、一のスペーサ部材３０全体が配置されていることがより好ましい。
【００５５】
スペーサ部材３０は、クラウン本体１０と使用者の頭部との間に空間を形成するための部材であって、図７のようにクラウン本体１０の肌側に配置される。そのため、スペーサ部材３０の形状は、クラウン本体１０と使用者の頭部との間に空間を形成できる形状であればどのような形状でもよく、例えば、円柱状、四角柱状、板状、多角柱状等、種々の形状のものを使用することができる。
【００５６】
図２、図３、図７に示すように、クラウン本体１０の中央領域１０ｂの肌側にスペーサ部材３０が配置されることで、本発明の実施の形態に係る帽子１を着用した際に、スペーサ部材３０が配置された周囲において、クラウン本体１０と使用者の頭部との間には空間ができる。帽子１内でもより熱がこもりやすい頭頂部を含む中央領域１０ｂにおいてスペーサ部材３０が配置されることで、当該空間部分に空気が入り込みやすくなり、帽子１内の通気性を高めることができる。
【００５７】
クラウン本体１０を左右方向に３等分したときの左側領域１０ａ及び中央領域１０ｂ及び右側領域１０ｃの肌側に、スペーサ部材３０が配置されていることが好ましく、図７に示すように、スペーサ部材３０が左側領域１０ａ及び中央領域１０ｂ及び右側領域１０ｃのそれぞれの領域の肌側において１つまたは複数個ずつ配置されていることがより好ましい。クラウン本体１０の左側領域１０ａ及び中央領域１０ｂ及び右側領域１０ｃの肌側にスペーサ部材３０が配置されることで、本発明の実施の形態に係る帽子１を着用した際に、スペーサ部材３０が配置された周囲において、クラウン本体１０部分と頭部との間には空間ができる。特に、スペーサ部材３０同士の間に存在する空間部分には空気が入り込みやすくなるため、帽子１内の通気性を高めることができる。
【００５８】
図８は、本発明の実施の形態に係る帽子に配置されるスペーサ部材の一実施形態を示す底面図である。図面に向かって奥側がクラウン本体側で、図面に向かって手前側が使用者の頭部側である。図９は、図８のＩＸ−ＩＸ線における断面図である。図面に向かって下側がクラウン本体側で、図面に向かって上側が使用者の頭部側である。
【００５９】
スペーサ部材３０は、図８及び図９で示すように、クラウン本体１０と垂直な方向に０．５ｍｍ以上突出している凸部３１を有する部材であることが好ましい。スペーサ部材３０の凸部３１は、０．８ｍｍ以上であることがより好ましく、１ｍｍ以上であることがさらに好ましい。凸部３１は大きすぎると帽子１を着用した際にごわつきが生じたり、帽子１の見た目が悪くなる可能性があるため、５ｍｍ以下であることが好ましく、４．５ｍｍ以下であることがより好ましく、４ｍｍ以下であることがさらに好ましい。
【００６０】
スペーサ部材３０は、図９に示すように、複数の凸部３１を有することがより好ましい。このような構成とすることで、スペーサ部材３０が着用者の頭部に当接したとしても、スペーサ部材３０が有する凸部３１同士の間では空間が形成されるため、帽子１内での通気性を高めることができる。また、帽子１と使用者の頭部とが接触する表面積が小さくなるため、帽子１やスペーサ部材３０が汗で濡れることによって生じる不快感も低減することができる。
【００６１】
スペーサ部材３０は、クラウン本体１０の肌側に複数配置されていることが好ましく、図２で示すように、スペーサ部材３０の長手方向がクラウン本体１０の前後方向（ｙ方向）と平行になるように複数配置されることがより好ましい。ここでいう前後方向（ｙ方向）と平行とは、実質的な前後方向（ｙ方向）と平行の±１０°以内をいうものとする。このようにスペーサ部材３０を配置することで、第１の穴１３またはクラウン本体１０と左側弾性部材１１ａと右側弾性部材１１ｂと使用者の頭部との間に形成されている空間から入り込んだ空気が、クラウン本体１０の前後方向（ｙ方向）に流れやすくなるため、クラウン本体１０内の通気性を高めることができる。
【００６２】
図２及び図７に示すように、スペーサ部材３０が複数配置されており、一のスペーサ部材３０と他のスペーサ部材３０との間に第２の間隙３２が存在することが好ましい。このように構成することでスペーサ部材３０同士の間にできた空間においてクラウン本体１０内の空気が移動可能になるため、クラウン本体１０内の通気性を高めることができる。
【００６３】
図２及び図７に示すように、スペーサ部材３０は複数配置されており、一のスペーサ部材３０と他のスペーサ部材３０との間には第２の間隙３２が設けられ、第２の間隙３２とクラウン本体１０の外側とは、クラウン本体１０に形成されている直径２ｍｍ以上の第２の穴３３を介して互いに連通していることが好ましい。
【００６４】
第２の穴３３は、クラウン本体１０に形成されている直径２ｍｍ以上の穴で、第２の間隙３２とクラウン本体１０の外側とは、第２の穴３３を介して連通する。第２の穴３３の形状は特に限定されず、多角形、四角形、円形、長円形、楕円形、星形等、種々の形状から適宜選択すればよい。なお、第２の穴３３が円形でない場合には、第２の穴３３の外接円と内接円の直径の平均値を第２の穴３３の直径とする。
【００６５】
第２の穴３３の直径は、例えば、２ｍｍ以上、２．１ｍｍ以上、２．２ｍｍ以上、６０ｍｍ以下、５０ｍｍ以下、４５ｍｍ以下等にすることができる。
【００６６】
第２の間隙３２とクラウン本体１０の外側とを連通させる第２の穴３３は、１つのみ形成されていてもよいし、複数個形成されていてもよい。また、第２の間隙３２とクラウン本体１０の外側とを連通させる、直径が２ｍｍよりも小さい穴が、さらに形成されているものであってもよい。
【００６７】
第２の穴３３は、例えば、穴開けパンチ、穴開けポンチ、レーザー加工など、種々の方法によって形成すればよい。
【００６８】
図２及び図７に示す、一のスペーサ部材３０と他のスペーサ部材３０との間の存在する第２の間隙３２について、クラウン本体１０の左右方向（ｘ方向）における第２の間隙３２の長さが長すぎると、使用者の頭部が第２の穴３３または一のスペーサ部材３０と他のスペーサ部材３０との間に存在するクラウン本体１０部分に接近しすぎたり、使用者の頭部が第２の穴３３または一のスペーサ部材３０と他のスペーサ部材３０との間に存在するクラウン本体１０部分と接触しやすくなる。そうすると、クラウン本体１０と一のスペーサ部材３０と他のスペーサ部材３０と使用者の頭部との間の空間が小さくなったり、第２の穴３３が塞がれやすくなることで、帽子１の通気性を確保しにくくなる可能性がある。クラウン本体１０と一のスペーサ部材３０と他のスペーサ部材３０と使用者の頭部との間に空間を形成しやすくするため、クラウン本体１０の左右方向（ｘ方向）における第２の間隙３２の長さは、クラウン本体１０の周方向における第１の間隙１２の長さよりも短いことが好ましい。ここでいう一のスペーサ部材３０と他のスペーサ部材３０の左右方向（ｘ方向）における長さは、一のスペーサ部材３０と他のスペーサ部材３０との間のクラウン本体１０の左右方向（ｘ方向）における長さのうち、最も長い長さをいう（以下、「有効長さ」と記載する）。
【００６９】
第２の間隙３２の有効長さは、使用者の年齢、性別、頭部の大きさなどに合わせて適宜設定すればよいが、例えば、２．０ｃｍ以上、２．５ｃｍ以上、３．０ｃｍ以上、１３ｃｍ以下、１２．５ｃｍ以下、１２ｃｍ以下等にすることができる。
【００７０】
スペーサ部材３０の厚みが薄すぎる場合は、使用者の頭部が第２の穴３３または一のスペーサ部材３０と他のスペーサ部材３０との間に存在するクラウン本体１０部分に接近しすぎたり、使用者の頭部が第２の穴３３の縁または一のスペーサ部材３０と他のスペーサ部材３０との間に存在するクラウン本体１０部分と接触しやすくなる。そうすると、クラウン本体１０と一のスペーサ部材３０と他のスペーサ部材３０と使用者の頭部との間の空間が小さくなったり、第２の穴３３が塞がれやすくなることで、帽子１の通気性を確保しにくくなる可能性がある。クラウン本体１０と一のスペーサ部材３０と他のスペーサ部材３０と使用者の頭部との間に空間を形成しやすくするため、スペーサ部材３０の厚みは、クラウン本体１０の厚みよりも厚いことが好ましい。スペーサ部材３０の厚みとクラウン本体１０の厚みは、それぞれの部材が有する厚みのうち最も薄い部分の厚み同士を比較するものとする。
【００７１】
スペーサ部材３０の厚みは、具体的には、０．１ｍｍ以上であることが好ましく、０．３ｍｍ以上であることがより好ましく、０．５ｍｍ以上であることがさらに好ましい。また、スペーサ部材３０の厚みが厚すぎる場合は、着用時にごわつきが生じたり、帽子１の見た目が悪くなったりする可能性があるため、弾性部材１１の厚みは、１５ｍｍ以下であることが好ましく、１２ｍｍ以下であることがより好ましく、１０ｍｍ以下であることがさらに好ましい。
【００７２】
スペーサ部材３０を構成する生地は、不織布、編布、織布などから適宜選択すればよいが、本発明の実施の形態に係る帽子１は、歩行やランニング、マラソン、競歩、その他スポーツなどを行う際にかぶることが想定されているため、通気性を高めるとともに、人頭へのフィット性を高めるために、編布で構成された部分を含むことが好ましい。
【００７３】
スペーサ部材３０を構成する生地の素材については特に限定されず、例えばポリエステル、ポリエチレン、ナイロン、ポリウレタン、綿、絹、麻等から適宜選択して用いればよい。スペーサ部材３０は、一種類の素材で構成されていてもよいし、複数の素材から構成されていてもよい。
【００７４】
スペーサ部材３０は、図８、図９に示すように、第１の生地３０ａと第２の生地３０ｂで構成されていてもよい。第１の生地３０ａと第２の生地３０ｂは、縫い付け、接着剤による接着など、種々の方法で接合されていればよい。その他の方法として、例えば、第１の生地３０ａを構成する糸の一部が第２の生地３０ｂに編み込まれることで接合されていてもよいし、第１の生地３０ａを構成する糸の一部が第２の生地３０ｂに織り込まれることで接合されていてもよい。第２の生地３０ｂを構成する糸の一部が第１の生地３０ａに編み込まれることで接合されていてもよいし、第２の生地３０ｂを構成する糸の一部が第１の生地３０ａに織り込まれることで接合されていてもよい。
【００７５】
第１の生地３０ａは、不織布、編布、織布などから適宜選択すればよいが、本発明の実施の形態に係る帽子１のクラウン本体１０に取付けられる部分であり、当該部分で伸びやよれが生じるとスペーサ部材３０の凸部３１は形状を維持できなくなる可能性があるため、伸長しにくい織布で構成される部分を含むことが好ましく、全体が織布で構成されていることがより好ましい。当該第１の生地３０ａにほどよく伸縮性を持たせて、着用時のフィット感を高めるため、第１の生地３０ａを構成する織布の縦糸として、スパンデックスが使用されていることが好ましい。
【００７６】
第２の生地３０ｂは、不織布、編布、織布などから適宜選択すればよいが、本発明の実施の形態に係る帽子１の第２の生地３０ｂは、使用者の頭部と接する部分であるため、通気性を高めるとともに、人頭へのフィット性を高めるために、編布で構成された部分を含むことが好ましく、全体が編布で構成されていることがより好ましい。
【００７７】
第２の生地３０ｂのＪＩＳ  Ｌ  １０９６  Ａ法によって測定される伸長回復率は、第１の生地３０ａの伸長回復率よりも高いものであることが好ましい。当該構成とすることで、使用者の頭部側のクッション性が高まるため、頭部へのフィット感を高めることができる。
【００７８】
フラジール形法（ＪＩＳ  Ｌ  １０９６  Ａ法）によって測定される第２の生地３０ｂの通気度は、第１の生地３０ａの生地の通気度よりも高いものであることが好ましい。当該構成とすることで、使用者の頭部側における通気性を高めることができ、使用者は本発明の実施の形態に係る帽子１を快適に着用することができる。
【００７９】
図９に示すように、スペーサ部材３０における凸部３１は、第２の生地３０ｂの一部を折り返すことで形成されるループ構造３４で構成されることがより好ましい。上記構成とすることで、ループ構造３４の内側にも空間が形成されるため、当該部分に空気の通り道ができ、通気性を高めることができる。
【００８０】
スペーサ部材３０が第１の生地３０ａと第２の生地３０ｂから構成されている場合は、第１の生地３０ａは、ポリエステルを含んでいることが好ましく、第２の生地３０ｂは、ポリエステルとポリウレタンを含んでいることが好ましい。第２の生地３０ｂに関しては、ポリエステル７０％以上であることが好ましく、８０％以上であることがより好ましく、８５％以上であることさらに好ましく、９９％以下であることが好ましく、９８％以下であることがより好ましく、９７％以下であることがさらに好ましい。
【００８１】
上記のように、帽子１内でもより熱がこもりやすい頭頂部を含む中央領域１０ｂにおいてスペーサ部材３０が複数配置されることで、本発明の実施の形態に係る帽子１を着用した際には、当該部分に空間を設けることができる。また、第２の間隙３２とクラウン本体の外側とが、クラウン本体１０に形成されている直径２ｍｍ以上の第２の穴を介して互いに連通していることで、当該部分での空気の出入りが行われやすくなる。これにより、帽子１内における蒸れを抑制することができる。
【００８２】
スペーサ部材３０は、縫い付け、接着剤による接着など、種々の方法でクラウン本体１０の肌側に接合されていればよい。また、スペーサ部材３０の伸びや劣化を抑制するため、スペーサ部材３０とクラウン本体１０との間に伸び止めテープや接着芯等が配置されていることが好ましい。
【００８３】
本発明の実施の形態に係る帽子１は、歩行、ランニング、マラソン、競歩、その他のスポーツをする際に好適に用いることができる。なかでも、ランニングをする際に特に好適に用いることができる。
【実施例】
【００８４】
図２で示すような形態の帽子１であって、クラウン本体１０と、左側弾性部材１１ａと、右側弾性部材１１ｂと、第１の間隙１２と、第１の穴１３と、複数のスペーサ部材３０と、第２の間隙３２と、第２の穴３３と、つば部２０と、を有する帽子を作製した。各部材、間隙の長さ等は、下記表１に記載の通りである。スペーサ部材３０としては、図８及び図９に示されているように、第１の生地３０ａ及び第２の生地３０ｂを有し、ループ構造３４を有するものを使用した。スペーサ部材３０の第１の生地３０ａ及び第２の生地３０ｂの構成は、下記表２の通りである。
【００８５】
【表１】
0006982644.tif 000002
【００８６】
【表２】
0006982644.tif 000003
【００８７】
以上の通り、本発明の帽子は、左側弾性部材１１ａと右側弾性部材１１ｂとの間に第１の間隙１２が存在することで、本発明の帽子１を使用者が着用した際には、クラウン本体１０と左側弾性部材１１ａと右側弾性部材１１ｂと使用者の頭部との間に弾性部材１１が有する厚み分の空間が形成され、当該部分からクラウン本体１０内に空気が入りやすくなるものである。さらに、第１の間隙１２とクラウン本体１０の外側とが、クラウン本体１０に形成されている直径５ｍｍ以上の第１の穴１３を介して互いに連通している構成も有していることで、当該穴からもクラウン本体１０内に空気が入りやすく、通気性に優れるものである。
【符号の説明】
【００８８】
１：    帽子
１０：  クラウン本体
１０ａ：左側領域
１０ｂ：中央領域
１０ｃ：右側領域
１１：  弾性部材
１１ａ：左側弾性部材
１１ｂ：右側弾性部材
１２：  第１の間隙
１３：  第１の穴
２０：  つば部
３０：  スペーサ部材
３０ａ：第１の生地
３０ｂ：第２の生地
３１：  凸部
３２：  第２の間隙
３３：  第２の穴
３４：  ループ構造
α：    つば部２０とクラウン本体１０のなす角
【図１】
0006982644.tif 000004
【図２】
0006982644.tif 000005
【図３】
0006982644.tif 000006
【図４】
0006982644.tif 000007
【図５】
0006982644.tif 000008
【図６】
0006982644.tif 000009
【図７】
0006982644.tif 000010
【図８】
0006982644.tif 000011
【図９】
0006982644.tif 000012